(57)【要約】【課題】バスサウンドユニットを設けた浴室において、浴室内に音楽等が流れている中でも注意喚起する報知を入浴者が確実に認識でき、警報の誤報を失くすことにより、システムの信頼性の向上を図ることを課題とするものである。【解決手段】バスサウンドユニット１０とコントローラ２０とは、有線あるいは無線で接続されており、コントローラ２０は、バスサウンドユニット１０の作動を検知しているときに、人体検知センサ３０からの信号に基づいて、所定時間の間、体動がないと判断したときには、バスサウンドユニット１０に制御信号を送出して、バスサウンドユニット１０の音響出力を低下させた後に、体動を促す所定の報知を出力させ、かつ、その後は再び上記人体検知センサ３０からの信号に基づいて、所定の待機時間の間は体動を監視し、監視の結果、その待機時間内に体動を検知しなかったときには警報を出力する構成にしている。【選択図】図１
2006113983.tif 000002
【特許請求の範囲】
【請求項１】
浴室内に設置された、少なくともスピーカを組み込んだバスサウンドユニットと、浴室内に設置された人体検知センサと、この人体検知センサからの信号に基づいて、人体の体動の有無を判別して、所定時間継続して体動がないときには異常警報を出力するコントローラとを備えて構成された、浴室異常検知システムとを組み合わせて成り、
上記バスサウンドユニットと上記コントローラとは、有線あるいは無線で接続されており、
上記コントローラは、バスサウンドユニットの作動を検知しているときに、上記人体検知センサからの信号に基づいて、所定時間の間、体動がないと判断したときには、上記バスサウンドユニットに制御信号を送出して、バスサウンドユニットの音響出力を低下させた後に、体動を促す所定の報知を出力させ、かつ、その後は再び上記人体検知センサからの信号に基づいて、所定の待機時間の間は体動を監視し、監視の結果、その待機時間内に体動を検知しなかったときには警報を出力する構成にしている、バスサウンドユニットを設けた浴室異常検知システム。
【請求項２】
請求項１において、
上記コントローラは、音声合成回路と、信号端子とを備え、かつ
上記バスサウンドユニットは、信号端子を備えており、
上記コントローラと上記バスサウンドユニットとは、信号線で接続され、
上記コントローラは、上記信号線を通じてバスサウンドユニットから送出される状態信号に基づいて作動中か否かを検知し、作動中の場合には、上記音声合成回路で生成した体動を促すメッセージを、上記信号線を通じて上記バスサウンドユニットに送出するようにしている、バスサウンドユニットを設けた浴室異常検知システム。
【請求項３】
請求項１において、
上記コントローラは、音声合成回路と、ワイヤレス送受信部とを備え、かつ
上記バスサウンドユニットは、ワイヤレス送受信部を備えており、
上記コントローラは、上記ワイヤレス送受信部で受信したバスサウンドユニットから送出される状態信号に基づいて作動中か否かを検出して、作動中の場合には、上記音声合成回路で生成した体動を促すメッセージを上記ワイヤレス送受信部を通じて、上記バスサウンドユニットに送出するようにしている、バスサウンドユニットを設けた浴室異常検知システム。
【発明の詳細な説明】
【技術分野】
【０００１】
本発明は、浴室異常検知システムに係り、詳しくは浴室内で音楽等が楽しめるバスサウンドユニットを設けた浴室異常検知システムの改良に関するものである。
【背景技術】
【０００２】
従来より、浴室内での急病や転倒事故の発生を知らせるシステムとして、入浴者自身が釦を押下して外部の人に知らせるシステムが知られているが、入浴者が意識を失う等して動けない場合は、釦を押すことができず、外部の人に報知できないという問題があった。
そこで、音や人体を検知する種々センサを用いて、入浴者の体動の有無に基づいて異常を検知するシステムが開発されており、下記特許文献１、特許文献２は、このようなセンサを用いた浴室異常検知システムに関する技術が開示されている。
【０００３】
特許文献１には、浴室内の音を検知する音センサを用いて、音信号の変化により入浴者の体動の有無を判断し、長時間に亘って音を検知しない場合は異常とみなして報知する浴室異常検知システムが開示されている。
しかしながら、これでは、湯船で居眠りしてしまった場合には、音を検知することができないので、異常とみなされ特に異常事態でないのに、警報が鳴動し、結果的に誤報になってしまうという問題があった。
特許文献２には、上記のように湯船で居眠りしてしまった場合の誤報を失くすため、このような場合を想定して、警報により外部に知らせる前に、警告として浴室内で注意喚起して動作要求を行うメロディーを奏でる浴室異常検知システムが開示されている。
【特許文献１】特開２００３−８５６６７号公報
【特許文献２】特開２００３−９０８８６号公報
【発明の開示】
【発明が解決しようとする課題】
【０００４】
しかしながら、近年において浴室は単に身体を洗浄するための場に留まらず、心身をリラックスさせるためのくつろぎ場として、浴室内で音楽等を楽しめる機能を備えたものが開発されているが、上記のようにメロディー等の報知音を鳴動させても、浴室内で流れる音楽、音声等により、かき消されてしまうという新たな問題が生じる。
【０００５】
本発明は上記問題点に鑑みなされたものであり、バスサウンドユニットを設けた浴室において、浴室内に音楽等が流れている中でも注意喚起する報知を入浴者が確実に認識でき、警報の誤報を失くすことにより、システムの信頼性の向上を図ることを課題とするものである。
【課題を解決するための手段】
【０００６】
上記課題を解決するために、提案される請求項１に記載のバスサウンドユニットを設けた浴室異常検知システムは、浴室内に設置された、少なくともスピーカを組み込んだバスサウンドユニットと、人体検知センサからの信号に基づいて、人体の体動の有無を判別して、所定時間継続して体動がないときには異常警報を出力するコントローラとを備えて構成された、浴室異常検知システムとを組み合わせて構成されている。
ここに、バスサウンドユニットとコントローラとは、有線あるいは無線で接続され、上記コントローラは、バスサウンドユニットの作動を検知しているときに、上記人体検知センサからの信号に基づいて、所定時間の間、体動がないと判断したときには、上記バスサウンドユニットに制御信号を送出して、バスサウンドユニットの音響出力を低下させた後に、体動を促す所定の報知を行なわせ、その後は再び上記人体検知センサからの信号に基づいて、所定の待機時間の間は体動を監視し、監視の結果、その待機時間内に体動を検知しなかったときには警報を出力する構成にしている。
【０００７】
ここで所定の報知は、体動を促す注意を喚起するための警告をいい、報知の方法は、音声メッセージやアラーム等をいう。
また、このような報知の前に、音響出力を低下させるバスサウンドユニットは、人が所定の報知を感知できる程度に音量を低下させればよく、そのためには音響出力をゼロにしてもよい。
警報は、所定の報知を行なっても人が感知できない場合に、異常事態が発生したことをコントローラや通報先など浴室外にいる家人等に知らせるものであればよく、警報の方法は、音声メッセージやアラーム等、人が感知出来るものであればよい。
【０００８】
請求項２で提案する本発明システムは、上記バスサウンドユニットと上記コントローラとを有線接続して構成されている。
ここに、コントローラ、は、音声合成回路と、信号端子とを備え、かつ上記バスサウンドユニットは、信号端子を備えており、上記コントローラと上記バスサウンドユニットとは、信号線で接続され、上記コントローラは、上記信号線を通じてバスサウンドユニットから送出される状態信号に基づいて作動中か否かを検知し、作動中の場合には、上記音声合成回路で生成した体動を促すメッセージを、上記信号線を通じて上記バスサウンドユニットに送出するようにしている。
【０００９】
請求項３で提案する本発明システムは、上記バスサウンドユニットと上記コントローラとを無線接続して構成されている。
ここに、上記コントローラは、音声合成回路と、ワイヤレス送受信部とを備え、かつ上記バスサウンドユニットは、ワイヤレス送受信部を備えており、上記コントローラは、上記ワイヤレス送受信部で受信したバスサウンドユニットから送出される状態信号に基づいて作動中か否かを検出して、作動中の場合には、上記音声合成回路で生成した体動を促すメッセージを上記ワイヤレス送受信部を通じて、上記バスサウンドユニットに送出するようにしている。
【発明の効果】
【００１０】
請求項１に記載の本発明によれば、浴室内に音楽等を流している場合でも、音を消音するか音量を下げてから、体動を促す警告（報知）を行なうので、警告が音楽等にかき消されてしまうおそれがなく、入浴者が明確に注意喚起のための警告を聞き取ることができる。
また、体動を促す警告を行なっても、体動が検知されなかった場合にのみ、警報を出力するので、誤報をなくすことができ、システムの信頼性を高めることができる。
【００１１】
請求項２及び請求項３によれば、体動を促す警告（報知）は、音声メッセージにより行なわれるので、人には馴染みやすく、他の警報機器と混合を生じることもない。
また、請求項２において、バスサウンドユニット、コントローラのそれぞれの信号端子に、信号線を着脱可能に接続できる構成にしておけば、配線作業、施工が一層容易になる。
更に、請求項３によれば、ワイヤレスで信号を送受信するので、配線も不要で使い勝手もよい。
【発明を実施するための最良の形態】
【００１２】
以下、図とともに本発明の実施の形態について説明する。
【実施例１】
【００１３】
以下、図とともに本発明の実施の形態について説明する。
図１は本発明が採用されたバスサウンドユニットを設けた浴室異常検知システムの構成を示したブロック図の一例、図２は本発明が採用された浴室の一例を説明するため概略図である。なお、回路ブロック図の構成、浴室１の構成はこれに限られない。
【００１４】
本発明は浴室内において、音楽やＴＶ音声等を楽しむことができるバスサウンドユニットを設けて構成される浴室に適用可能で、図において１は浴室、２は脱衣室、３は浴槽、４は洗い場、５は浴室内への出入口を各々示している。また浴槽３に浸かった入浴者の手が届き易い壁面には、給湯器（不図示）等を遠隔操作したり、時刻や湯船の温度等が表示される風呂操作部５０と、ＭＤやＴＶ等を音源４０とし、これを浴室１内で聞くことができる上述のバスサウンドユニット１０が取付けられている。３０は人体の動きを検知する人体検知センサ３０であり、図２では、壁面に取付けられている例を示しているがこれに限られず、天井等のその他の検知に適した場所でもよい。なお、人体検知センサ３０は、入浴者の体動の有無を検知できるものであればよく、入浴者が体を動かした際の色差や輝度の変化を検知するＣＣＤカメラや人工網膜センサ、温度変化を検知する焦電型赤外線センサ（ＰＩＲ）等が用いられるがこれに限られない。
【００１５】
図１は、本発明の浴室異常検知システムの回路構成をブロック図にしたものである。１０はバスサウンドユニット、１１はコントローラ２０からの制御信号等を制御するＣＰＵ等で構成されるマイコン、１２は、音源４０やマイコン１１からの信号を増幅してスピーカＳ１に送出する増幅回路、１３は、コントローラ２０からの音量制御信号やバスサウンドユニット１０の操作に基づいて、音量を制御する音量制御回路である。また２０は人体検知センサ３０からの信号に基づいて作動し、風呂操作部５０、バスサウンドユニット１０、警報の通報先６０と接続されるコントローラ、２１はセンサ信号変換回路、２２は所定時間を計時するタイマ部２２ａを備え、各回路等を制御するＣＰＵ等で構成されるマイコン、２３はスピーカＳ２と接続されている警報回路である。ここで通報先６０は、浴室１内での異常を検知した際に、警報により家人に知らせる先をいい、台所やリビング等、人がいる場所が望ましい。
【００１６】
本発明は、バスサウンドユニット１０と、人体検知センサ３０と、この人体検知センサ３０からの信号に基づいて、人体の体動の有無を判別して、所定時間継続して体動がないときには異常警報を出力するコントローラ２０とを備えて構成された浴室異常検知システムであって、コントローラ２０は、バスサウンドユニット１０の作動を検知しているときに、人体検知センサ３０からの信号に基づいて、所定時間の間、体動がないと判断したときには、バスサウンドユニット１０に制御信号を送出して、バスサウンドユニット１０の音響出力を低下させた後に、体動を促す所定の報知を出力させ、かつその後は再び人体検知センサ３０からの信号に基づいて、所定の待機時間の間は体動を監視し、監視の結果、所定の待機時間内に体動が検知できなかったときには警報を出力する点に特徴を有するものである。
【００１７】
すなわち、コントローラ２０は、入浴者の体動が所定時間継続して検知できなくても直ちには警報を出力せずに、バスサウンドユニット１０の音響出力を停止するか、音量を下げてから、バスサウンドユニット１０に制御信号を送出して、体動を促す所定の報知を行ない、その後も入浴者の体動を検出して、所定時間の間に体動がなかったときに初めて異常事態が発生したとして、警報を出力する。
ここで上記所定の報知とは、体動を促す注意喚起いわゆる警告をいい、バスサウンドユニット１０の音量は、この報知が行なわれる前に、人（入浴者）が所定の報知を感知できる程度に低下させればよく、そのためには音響出力をゼロにしてもよい。
またここで警報とは、上記所定の報知を行なっても体動が検知されない場合は、異常事態として、浴室外にいる家人等に浴室内で異常事態が起こった可能性があることを知らせる通知をいう。
【００１８】
図３は、本発明の動作を説明するためのフローチャート（１００〜１０９）である。
人体検知センサ３０は、浴室１内で人体（入浴者）を検知すると、タイマ部２ａを起動させ（１０１）、まずはＴ１時間を計時しこのＴ１時間内に体動が無い場合はＴ１時間経過後に音量を下げるための（若しくは消音するための）音量制御信号及び警告を発する警告報知信号をバスサウンドユニット１０へ送出し（１０５）、その後Ｔ２時間内においても、体動が無い場合は、Ｔ２時間経過後に警報回路２３を作動させる（１０９）。  
【００１９】
Ｔ１時間内に体動を検知すれば体動の有無を観測する待機状態となる一方、警告後、Ｔ２時間内に体動を検知した場合は、音量制御信号及び警告報知信号の送出が停止され、待機状態となる。このとき、待機状態への復旧は、停止（オフ）を人（入浴者）により手動で行なう構成としてもよいし、体動があったことの検知に連動して自動的に行なう構成としてもよい。
なおここで、Ｔ１時間とは、警告を行なうか判断するまでの時間をいい、またＴ２時間とは、警報を行なうか判断するまでの時間をいい、これらの時間は予め設定されたものでもよいし、ユーザ側で設定できる構成としてもよい。
【００２０】
この構成によれば、浴室１内に音楽等を流している場合でも、音を消音するか音量を下げてから、体動を促す警告（報知）を行なうので、警告が音楽等にかき消されてしまうおそれがなく、入浴者が明確に注意喚起のための報知を聞き取ることができる。
また、これによれば、体動を検知し警告を行なった後において、体動が検知されなかった場合にのみ、外部への警報を出力するので、警報に関して誤報をなくすことができ、システムの信頼性を高めることができる。
【００２１】
ここで上記警告、警報を行なうと同時に、風呂操作部５０の液晶表示部（不図示）には、体動を促す文言を表示させたり、ＬＥＤ等の発光体を設け点灯、点滅させる構成としてもよい。これによれば、音だけでなく視覚的にも注意を促すことができる。
また上記警告及び警報の方法は、アラームや音声メッセージよる報知の他、人が感知できるものであれば、手段は問わず、バスサウンドユニット１０側ではなく、コントローラ２０側で報知してもよい。特に音声メッセージとすれば、人には馴染みやすく、他の警報機器と混同を生じることもない。
以下には別の実施形態として、音声メッセージにより警告、警報を行なう場合について述べる。
【実施例２】
【００２２】
図４は、本発明が採用されたバスサウンドユニットを設けた浴室異常検知システムの別の実施形態を示したブロック図の一例である。なお、回路構成はこれに限られるものではなく、本実施形態の構成や特徴、動作の流れは上記実施例１と同様であるので、共通部分には同一の符号を付し、その説明を割愛する。
【００２３】
本実施形態において、コントローラ２０には、音声合成回路２４と、信号端子Ｔ２０とを備え、バスサウンドユニット１０には、前記信号端子Ｔ２０と信号線Ｌ１で接続される信号端子Ｔ１０を備えており、また信号線Ｌ２で接続される電源端子としてＴａ、Ｔｂを設けている。
コントローラ２０は、信号線Ｌ１を通じてバスサウンドユニット１０から送出される状態信号に基づいて作動中か否かを検知して、作動中の場合には、音声合成回路２４で生成した体動を促すメッセージを信号線Ｌ１を通じて、バスサウンドユニット１０に送出する。
【００２４】
この構成によれば、音声メッセージにより、体動を促す注意喚起や異常の発生を知らせることができるので、人には馴染みやすく、他の警報機器と混同を生じることもない。
またバスサウンドユニット１０、コントローラ２０のそれぞれの信号端子Ｔ１０、Ｔ２０、Ｔａ、Ｔｂに、信号線Ｌ１、Ｌ２を着脱可能に接続できる構成にしておけば、配線作業、施工が一層容易になる。
なお、ここでは信号端子Ｔ１０、Ｔ２０を設け、信号線Ｌ１により信号の送受を行なっているが（有線接続した態様）、双方にワイヤレス送受信部（不図示）を備える構成としてもよい（無線接続した態様）。
これによれば、ワイヤレスで信号を送受信するので、配線が不要で使い勝手がよい。
【図面の簡単な説明】
【００２５】
【図１】本発明のバスサウンドユニットを設けた浴室異常検知システムの構成を示したブロック図である。
【図２】本発明が採用された浴室の一例を説明するための概略図である。
【図３】本発明の動作を説明するためのフローチャートである。
【図４】本発明のバスサウンドユニットを設けた浴室異常検知システムの別の実施形態を示したブロック図の一例である。
【符号の説明】
【００２６】
１      浴室
１０    バスサウンドユニット
２０    コントローラ
３０    人体検知センサ
４０    音源
５０    風呂操作部
６０    通報先
【図１】
2006113983.tif 000003
【図２】
2006113983.tif 000004
【図３】
2006113983.tif 000005
【図４】
2006113983.tif 000006